(57)【要約】【課題】ゴム板を傷めないゴム板の固定具を提供する。【解決手段】固定具２０は、清掃用具１０に使用されるゴム板１５を固定するために用いられる。清掃用具１０は、ゴム板１５を保持する溝部１２ａを有し、固定具２０は、樹脂で構成され、溝部１２ａ内でゴム板１５をその両側から挟む。【選択図】図１
2008119325.tif 000002
【特許請求の範囲】
【請求項１】
清掃用具に使用されるゴム板を固定するための固定具であって、
前記清掃用具は、前記ゴム板を保持する溝を有し、
前記固定具は、樹脂で構成され、前記溝内で前記ゴム板をその両側から挟む、固定具。
【請求項２】
前記固定具は第１方向に延在する矩形状の板であり、
前記板は、一方面側が凹部になるように湾曲しており、
使用時に前記ゴム板を挟むように折り曲げられる請求項１に記載の固定具。
【請求項３】
前記板は、前記一方面側設けられ、前記一方面側に突出する第１突起部と、
他方面側設けられ、前記他方面側に突出する第２突起部とを含む、請求項２に記載の固定具。
【請求項４】
前記第１突起部は前記板の前記第１方向に交わる第２方向の端部に設けられる、請求項３に記載の固定具。
【請求項５】
前記板は、前記第１方向において、その中央部が他の部分よりも突出している、請求項２から４のいずれかに記載の固定具。
【請求項６】
ゴム板を用いた清掃用具であって、
前記ゴム板を保持する溝と、
前記溝に保持された前記ゴム板を前記溝内で固定する固定具とを含み、
前記固定具は、樹脂で構成され、前記溝内で前記ゴム板をその両側から挟む、清掃用具。
【発明の詳細な説明】
【技術分野】
【０００１】
この発明は、固定具および清掃用具に関し、特に、清掃用のゴム板を固定するための固定具および清掃用具に関する。
【背景技術】
【０００２】
窓ガラスを清掃するための清掃用具としての窓拭きワイパが、たとえば、特開平１１−２２１１７３号公報（特許文献１）に開示されている。このような窓拭きワイパは、ゴム板を保持するための溝状のゴム板ホルダと、ゴム板ホルダを支持するとともに、手でワイパを保持するための保持部とを有している。この文献によれば、ゴム板は金属製のゴム板ホルダに設けられたストッパで脱落が防止されている。
【０００３】
一方、従来のこのような清掃用具においては、ゴム板を固定する固定具としては、金属製のものが用いられていた。このような、金属製の固定具は、ゴム板を両側から挟んで保持するために対向する２辺を有し、その２辺の対向する側には、ゴムを保持するための突起部が設けられている。
【特許文献１】特開平１１−２２１１７３号公報
【発明の開示】
【発明が解決しようとする課題】
【０００４】
従来の  窓ガラスを清掃するための清掃用具におけるゴムの固定は上記のようにして行われていた。ゴム板の脱落を防止するために、突起部でゴム板を固定していた。そのため、ゴム板は保持部で傷つけられるため、ゴム板の寿命が、本来の清掃のための寿命よりも短くなるという問題があった。
【０００５】
この発明は上記のような問題点に鑑みてなされたもので、ゴム板を傷めないゴム板の固定具および清掃用具を提供することを目的とする。
【課題を解決するための手段】
【０００６】
この発明に係る固定具は、清掃用具に使用されるゴム板を固定するために用いられる。清掃用具は、ゴム板を保持する溝を有し、固定具は、樹脂で構成され、溝内でゴム板をその両側から挟む。
【０００７】
固定具は樹脂で構成され、溝内でゴム板をその両側から挟むため、取り扱いが容易で、容易にゴム板の位置決めができ、従来のようにゴム板を傷めることはない。
【０００８】
好ましくは、前記固定具は第１方向に延在する矩形状の板であり、板は、一方面側が凹部になるように湾曲しており、使用時にゴム板を挟むように折り曲げられる。
【０００９】
さらに好ましくは、板は、一方面側設けられ、一方面側に突出する第１突起部と、他方面側設けられ、他方面側に突出する第２突起部とを含む。
【００１０】
第１突起部は板の第１方向に交わる第２方向の端部に設けられてもよい。
【００１１】
この発明の一つの実施の形態によれば、板は、第１方向において、その中央部が他の部分よりも突出している。
【００１２】
この発明の他の局面においては、ゴム板を用いた清掃用具は、ゴム板を保持する溝と、溝に保持されたゴム板を溝内で固定する固定具とを含み、固定具は、樹脂で構成され、溝内でゴム板をその両側から挟む。
【発明を実施するための最良の形態】
【００１３】
以下、この発明の実施の形態を、図面を参照して説明する。図１はこの発明の一実施の形態に係る固定具によってゴム板が清掃用具に取付けられた状態を示す図である。図１（Ａ）は平面図であり、図１（Ｂ）は図１（Ａ）において、矢印Ｂ-Ｂで示す部分の矢視図である。図１（Ａ）および（Ｂ）を参照して、清掃用具１０は、清掃用のゴム板１５と、ゴム板１５を保持するための本体部１１とを含む。本体部１１は、ゴム板を保持するゴム板保持部１２と、本体部１１全体を人が手で把持するための把持部１３と、ゴム板保持部１２と把持部１３とを接続する接続部１４とを含む。
【００１４】
ゴム板１５は、平坦部分１５ａと、平坦部分１５ａにつながる断面が円形状の端部１５ｂとからなり、端部１５ｂがゴム板保持部１２の円筒状の溝部１２ａに沿って保持される。ゴム板１５の長手方向の両端部には、ゴム板１５がゴム板保持部１２から抜けないように、固定具２０が設けられている。
【００１５】
次に固定具２０について説明する。図２および図３は、固定具２０の詳細を示す図である。図２（Ａ）は正面図であり、図２（Ｂ）は、図２（Ａ）において矢印ＩＩＢ-ＩＩＢで示す矢視図であり、図２（Ｃ）は、ゴム板１５を保持するために、固定具２０を折り曲げた状態を示す、図２（Ｂ）と同様の矢視図であり、図３は固定具２０の裏面図であり、図３（Ｂ）は、図３（Ａ）において矢印ＩＩＩＢ-ＩＩＩＢで示す断面図である。
【００１６】
図２（Ａ）〜図３（Ｂ）を参照して、固定具２０は一方面２０ｂと他方面２０ａとを有するとともに、直線状の第１端部２１と、円弧状に突出した第２端部２２と、両端部２１，２２を接続する側端部２３ａ，２３ｂを有し、全体に他方面２０ａ側に突出した（図２（Ｂ）参照）矩形状であり、樹脂で構成されている。なお、直線状の第１端部２１から円弧状に突出した第２端部２２へ向かう方向を第１方向といい、それに交わる方向を第２方向という。
【００１７】
固定具２０の一方面２０ｂ側の第１端部２１の両側端部２３ａ，２３ｂに、それぞれ一方面側に突出する一対の突起部（第１突起部）２５ａ，２５ｂおよび２６ａ，２６ｂが設けられる。他方面２０ａの第１端部２１の両側端部には、他方面側に突出するように、係合部（第２突起部）２７ａ，２７ｂが設けられる。
【００１８】
固定具２０の中央部は第１端部２１側から第２端部２２側までその厚さは均一である。固定具２０はその側端部２３ａ，２３ｂ近傍では多少厚く形成されて、一方面２０ｂを下に向けたとき、側端部２３ａ，２３ｂ近傍には側端部２３ａ，２３ｂに沿って一対の面２４ａ，２４ｂが設けられている。この面２４ａ，２４ｂ上に上記の一対の突起部２５ａ，２５ｂ，２６ａ，２６ｂが設けられる。
【００１９】
次に、清掃用具１０において、固定具２０がゴム板１５を保持する状態について説明する。固定具２０は、図１（Ａ）に示すように、ゴム板保持部１２の両端部においてゴム板１５を保持する。このとき、固定具２０は樹脂で構成されているため、作業者は、図２（Ｃ）に示すように、固定具２０の他方面２０ａ側が伸ばされるように円形（またはＵ字状）に容易に折り曲げ、図１（Ｂ）に示すようにゴム板保持部１２内でゴム板１５の端部１５ｂを保持することができる。また、固定具２０の突起部２５ａ，２５ｂおよび２６ａ，２６ｂはゴム板１５に当接し、ゴム板１５を固定する。突起部２５ａ，２５ｂおよび２６ａ，２６ｂは、樹脂であるため、ゴム板１５を傷めることはない。また、ゴム板１５の両面から複数の突起部２５ａ，２５ｂ，２６ａ，２６ｂでゴム板１２を押さえつけるため、より確実にゴム板１５を固定できる。
【００２０】
また、固定具２０の第２端部２２は突出しているため、その突出した部分からゴム板保持部１２に挿入すれば、容易にゴム板保持部１２内に挿入可能になる。なお、この挿入を容易にするために、第２端部２２の突出部の厚さを先端部側ほど薄くしてもよい。
【００２１】
以上のように、固定具は樹脂で構成され、溝内でゴム板をその両側から挟むため、取り扱いが容易で、容易にゴム板の位置決めができ、従来のようにゴム板を傷めることはない。なお、樹脂としては、耐薬品性、耐酸性、耐アルカリ性等を有するものであれば、任意のものが使用できるが、ナイロン等が好ましい。
【００２２】
一方で、固定具２０の第１端部２１側には係合部２７ａ，２７ｂが設けられ、これが、ゴム板保持部１２の両端部１２ｂ，１２ｃに係合するため、係合部２７ａ，２７ｂにより、固定具２０自身がゴム板保持部１２の内部に向かってゴム板１５に沿って移動されることもない。
【００２３】
なお、上記実施の形態においては、突起部を一方面側の側端部にそれぞれ一対設けた場合について説明したが、これに限らず、側端部に１つずつ設けてもよいし、３個以上設けてもよい。
【００２４】
上記実施の形態においては、第２端部に突出部を設けるようにしたが、これに限らず、挿入が容易であれば、任意の形状としてもよい。
【００２５】
上記実施の形態においては、固定具を平面状とし、使用時に指で湾曲させるようにしたが、これに限らず、当初から、円形状、または、Ｕ字状としておいてもよい。
【００２６】
また、上記実施の形態においては、ゴム板の端部が円形状を有する場合について説明したが、これに限らず、平面状のもの等でもよく、それに応じて、溝の形状も任意でよい。
【００２７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００２８】
この発明に係る固定具は、ゴム板を傷つけることなく清掃用のゴム板を固定できるため、清掃用具の固定具として有利に使用される。
【図面の簡単な説明】
【００２９】
【図１】この発明の一実施の形態に係る清掃用具の全体を示す図である。
【図２】固定具を示す図である。
【図３】固定具を示す図である。
【符号の説明】
【００３０】
１０  清掃用具、１１  本体部、１２  ゴム板保持部、１３  把持部、１４  接続部、１５  ゴム板、２０  固定具、２１  第１端部、２２  第２端部、２３  側端部、２４  面、２５，２６  突起部、２７  係合部。
【図１】
2008119325.tif 000003
【図２】
2008119325.tif 000004
【図３】
2008119325.tif 000005